(57)【要約】      （修正有）【課題】複数のフェンシング領域を１箇所の無線通信装置で形成する。【解決手段】無線通信装置１は、第１の識別情報を無線で送信して、第１の識別情報を利用者端末によって検知可能な第１の領域を形成する第１送信部１１１と、第２の識別情報を無線で送信して、第２の識別情報を利用者端末によって検知可能な、第１の領域に包括される第２の領域を形成する第２送信部１１３と、送信された第１の識別情報に対する応答を利用者端末から無線で受信する第１受信部１１８と、送信された第２の識別情報に対する応答を利用者端末から無線で受信する第２受信部１１９とを備える。【選択図】図２
2017135473.tif 000002
【特許請求の範囲】
【請求項１】
第１の識別情報を無線で送信して、前記第１の識別情報を利用者端末によって検知可能な第１の領域を形成する第１送信部と、
第２の識別情報を無線で送信して、前記第２の識別情報を利用者端末によって検知可能な、前記第１の領域に包括される第２の領域を形成する第２送信部と、
送信された前記第１の識別情報に対する応答を前記利用者端末から無線で受信する第１受信部と、
送信された前記第２の識別情報に対する応答を前記利用者端末から無線で受信する第２受信部と
を備える、無線通信装置。
【請求項２】
前記第１送信部は、前記第１の領域を、前記第１の識別情報の送信位置を中心に形成し、
前記第２送信部は、前記第２の領域を、前記第１の識別情報の送信位置と略同一の位置を中心に形成する、請求項１に記載の無線通信装置。
【請求項３】
前記第１の識別情報の設定と、前記第２の識別情報の設定とを記憶する識別設定記憶部をさらに備え、
前記第１送信部は、記憶された前記第１の識別情報の設定に基づき前記第１の識別情報を送信し、
前記第２送信部は、記憶された前記第２の識別情報の設定に基づき前記第２の識別情報を送信する、請求項１又は２に記載の無線通信装置。
【請求項４】
前記第１の識別情報の送信出力の設定と、前記第２の識別情報の送信出力の設定とを記憶する送信出力記憶部をさらに備え、
前記第１送信部は、記憶された前記第１の識別情報の送信出力の設定に基づき前記第１の識別情報を送信し、
前記第２送信部は、記憶された前記第２の識別情報の送信出力の設定に基づき前記第２の識別情報を送信する、請求項１から３のいずれか一項に記載の無線通信装置。
【請求項５】
第１の識別情報を無線で送信して、前記第１の識別情報を利用者端末によって検知可能な第１の領域を形成する第１送信ステップと、
第２の識別情報を無線で送信して、前記第２の識別情報を利用者端末によって検知可能な、前記第１の領域に包括される第２の領域を形成する第２送信ステップと、
送信された前記第１の識別情報に対する応答を前記利用者端末から無線で受信する第１受信ステップと、
送信された前記第２の識別情報に対する応答を前記利用者端末から無線で受信する第２受信ステップと
を含む、無線通信方法。
【請求項６】
第１の識別情報を無線で送信して、前記第１の識別情報を利用者端末によって検知可能な第１の領域を形成する第１送信処理と、
第２の識別情報を無線で送信して、前記第２の識別情報を利用者端末によって検知可能な、前記第１の領域に包括される第２の領域を形成する第２送信処理と、
送信された前記第１の識別情報に対する応答を前記利用者端末から無線で受信する第１受信処理と、
送信された前記第２の識別情報に対する応答を前記利用者端末から無線で受信する第２受信処理と
をコンピュータに実行させるための、無線通信プログラム。
【発明の詳細な説明】
【技術分野】
【０００１】
本発明は、無線通信装置、無線通信方法及び無線通信プログラムに関する。
【背景技術】
【０００２】
近年、無線ＬＡＮサービスが広く普及している。そして、無線ＬＡＮサービスを提供するためのアクセスポイント（以下、「ＡＰ」という。）の設置場所は、オフィスや家庭に限らず公衆エリアの店舗などにも広がっている。このように様々な場所に設置されるようになり、ＡＰの設置数は増加の一途を辿っている。
【０００３】
また、近年、ＡＰの通信可能範囲において仮想的なフェンス（境界）で囲まれた領域を形成する「フェンシング（Fencing）」と呼ばれる技術が用いられている。フェンシング技術によって形成される領域を以下、「フェンシング領域」という。フェンシング領域を形成するＡＰは、フェンシング領域にある利用者端末を認識することができる。フェンシング技術を利用することにより、利用者端末は、フェンシング領域の中に入ったことを契機に、ＡＰを介して様々な情報を取得する等のサービスの提供を受けることができる。フェンシング領域を複数形成することにより、フェンシング領域毎に異なるサービスを提供することができる。
【０００４】
なお、複数のＡＰにおいて同一のＥＳＳＩＤ（Extended Service Set Identifier）を設定して、複数のＡＰで１つの通信可能範囲を形成する技術がある。また、複数のＡＰにおけるそれぞれの通信可能範囲の間を移動しながら通信するローミング技術がある。
【先行技術文献】
【特許文献】
【０００５】
【特許文献１】特開２０１１−００４２２５号公報
【発明の概要】
【発明が解決しようとする課題】
【０００６】
しかし、複数のフェンシング領域を形成するためには、複数の無線通信装置を設置する必要があった。
【０００７】
上記事情に鑑み、本発明は、複数のフェンシング領域を１箇所の無線通信装置から形成する、無線通信装置、無線通信方法及び無線通信プログラムを提供することを目的とする。
【課題を解決するための手段】
【０００８】
本発明の一態様は、第１の識別情報を無線で送信して、前記第１の識別情報を利用者端末によって検知可能な第１の領域を形成する第１送信部と、第２の識別情報を無線で送信して、前記第２の識別情報を利用者端末によって検知可能な、前記第１の領域に包括される第２の領域を形成する第２送信部と、送信された前記第１の識別情報に対する応答を前記利用者端末から無線で受信する第１受信部と、送信された前記第２の識別情報に対する応答を前記利用者端末から無線で受信する第２受信部とを備える、無線通信装置である。
【０００９】
本発明の一態様は、上記の無線通信装置であって、前記第１送信部は、前記第１の領域を、前記第１の識別情報の送信位置を中心に形成し、前記第２送信部は、前記第２の領域を、前記第１の識別情報の送信位置と略同一の位置を中心に形成する。
【００１０】
本発明の一態様は、上記の無線通信装置であって、前記第１の識別情報の設定と、前記第２の識別情報の設定とを記憶する識別設定記憶部をさらに備え、前記第１送信部は、記憶された前記第１の識別情報の設定に基づき前記第１の識別情報を送信し、前記第２送信部は、記憶された前記第２の識別情報の設定に基づき前記第２の識別情報を送信する。
【００１１】
本発明の一態様は、上記の無線通信装置であって、前記第１の識別情報の送信出力の設定と、前記第２の識別情報の送信出力の設定とを記憶する送信出力記憶部をさらに備え、前記第１送信部は、記憶された前記第１の識別情報の送信出力の設定に基づき前記第１の識別情報を送信し、前記第２送信部は、記憶された前記第２の識別情報の送信出力の設定に基づき前記第２の識別情報を送信する。
【００１２】
本発明の一態様は、第１の識別情報を無線で送信して、前記第１の識別情報を利用者端末によって検知可能な第１の領域を形成する第１送信ステップと、第２の識別情報を無線で送信して、前記第２の識別情報を利用者端末によって検知可能な、前記第１の領域に包括される第２の領域を形成する第２送信ステップと、送信された前記第１の識別情報に対する応答を前記利用者端末から無線で受信する第１受信ステップと、送信された前記第２の識別情報に対する応答を前記利用者端末から無線で受信する第２受信ステップとを含む、無線通信方法である。
【００１３】
本発明の一態様は、第１の識別情報を無線で送信して、前記第１の識別情報を利用者端末によって検知可能な第１の領域を形成する第１送信処理と、第２の識別情報を無線で送信して、前記第２の識別情報を利用者端末によって検知可能な、前記第１の領域に包括される第２の領域を形成する第２送信処理と、送信された前記第１の識別情報に対する応答を前記利用者端末から無線で受信する第１受信処理と、送信された前記第２の識別情報に対する応答を前記利用者端末から無線で受信する第２受信処理とをコンピュータに実行させるための、無線通信プログラムである。
【発明の効果】
【００１４】
本発明により、複数のフェンシング領域を１箇所の無線通信装置から形成する、無線通信装置、無線通信方法及び無線通信プログラムを提供することができる。
【図面の簡単な説明】
【００１５】
【図１】本実施形態における無線通信装置１とフェンシング領域の一例を示す図である。
【図２】本実施形態における無線通信装置１の機能構成の一例を示すブロック図である。
【図３】本実施形態における無線部１１７の機能構成の一例を示す図である。
【図４】本実施形態における無線通信装置１の動作の一例を示すフローチャートである。
【発明を実施するための形態】
【００１６】
以下、図面を参照して、本発明に係る一実施形態における無線装置について説明する。
先ず、本実施形態における無線通信装置１とフェンシング領域について説明する。
図１は、本実施形態における無線通信装置１とフェンシング領域の一例を示す図である。
【００１７】
図１において、無線通信装置１は、図示しない利用者端末に対して無線ＬＡＮサービスを提供する無線ＬＡＮのＡＰである。無線通信装置１は、第１のフェンシング領域である第１領域と、第１のフェンシング領域に包括される第２のフェンシング領域である第２領域を形成する。
【００１８】
第１領域は、後述する第１送信部の配置位置Ａを中心とする水平面における円内に形成される。第１領域は、第１送信部から送信される第１の識別情報が利用者端末によって検知できる範囲である。無線通信装置１は、利用者端末が第１のフェンシング領域の外側から第１のフェンシング領域の内側に移動したときに、第１送信部が利用する第１の無線方式において利用者端末との無線通信を開始する。また、無線通信装置１は、利用者端末が第１のフェンシング領域の内側から第１のフェンシング領域の外側に移動したときに、第１の無線方式における利用者端末との無線通信を終了する。
【００１９】
一方、第２領域は、第１送信部の配置位置Ａと略同一の位置に配置された、後述する第２送信部の配置位置を中心とする水平面における円内に形成される。第２領域は、第２送信部から送信される第２の識別情報が利用者端末によって検知できる範囲である。無線通信装置１は、利用者端末が第２のフェンシング領域の外側から第２のフェンシング領域の内側に移動したときに、第２送信部が利用する第２の無線方式において利用者端末との無線通信を開始する。無線通信装置１は、利用者端末が第２のフェンシング領域の内側から第２のフェンシング領域の外側に移動したときに、第２の無線方式における利用者端末との無線通信を終了する。
【００２０】
第２領域は第１領域に包括されているため、利用者端末の第２領域の外側から内側への移動は、第１領域の内側において行われる。すなわち、無線通信装置１は、利用者端末が第１領域の外側にあるか内側にあるかを検出することにより、第１領域における利用者端末の移動方向（外側から内側、又は内側から外側）を検出することができる。さらに、無線通信装置１は、利用者端末が第２領域の外側にあるか内側にあるかを検出することにより、第２領域における利用者端末の移動方向を検出することができる。無線通信装置１は、利用者端末の移動方向を検出することにより、利用者端末の移動に対応したサービスを提供することができる。例えば、無線通信装置１は、第１領域の外側から内側に移動した利用者端末に対するサービス、さらに第２領域の内側に移動した利用者端末に対するサービス、又は第２領域の内側から外側に移動した利用者端末に対するサービス等を提供することができる。なお、無線通信装置１は、第１送信部及び第２送信部が指向性を有する無線送信を行う場合、指向性に応じた移動方向の検出をすることができる。
【００２１】
なお、本実施形態においては、無線通信装置１は、利用者端末が第２領域の内側に移動したときには、第１の無線方式による無線通信を終了して第２の無線方式による無線通信を開始し、利用者端末が第２領域の外側に移動したときには、第２の無線方式による無線通信を終了して第１の無線方式による無線通信を再開する場合を説明する。しかし、無線通信装置１は、利用者端末が第２領域の内側に移動したときに、第１の無線方式による無線通信を継続したまま第２の無線方式による無線通信を開始するようにしてもよい。
【００２２】
第１送信部の配置位置と第２送信部の配置位置が略同一の位置に配置されるとは、例えば、第１送信部と第２送信部が一つの装置内に配置され、第１送信部と第２送信部が近接して配置されることをいう。また、第１送信部と第２送信部が一つの送信用アンテナを共用するようにしてもよい。
【００２３】
第１の識別情報及び第２の識別情報は、例えばＳＳＩＤ（Service Set Identifier）である。第１送信部は、所定の時間間隔で第１の識別情報として第１のＳＳＩＤをビーコン（Beacon）フレームに乗せてブロードキャストする。同様に、第２送信部は、所定の時間間隔で第２の識別情報として第２のＳＳＩＤをビーコンフレームに乗せてブロードキャストする。利用者端末はビーコンフレームをスキャンして一定時間ビーコンフレームを受信した場合、利用者端末に予め登録されているＳＳＩＤが一致するか否かを判断し、ＳＳＩＤが一致した場合にＳＳＩＤに対応した応答を行う。なお、本実施形態では、第１送信部及び第２送信部は、ＳＳＩＤをブロードキャストする場合を説明したが、第１送信部及び第２送信部は、利用者端末からＳＳＩＤを特定したプローブ要求を受信した場合に特定されたＳＳＩＤに応じてプローブ応答をしてもよい。
【００２４】
なお、図１における第１領域及び第２領域は、配置位置Ａを中心とする水平面における円（同心円）内に形成される場合を示したが、第１領域及び第２領域が形成される形状は水平面における円に限定されるものではない。例えば、第１送信部及び第２送信部が指向性を有する無線送信を行う場合、第１領域及び第２領域は、水平面及び垂直面において無線の指向性に応じた形状において形成される。
【００２５】
ところで、無線ＬＡＮの通信においては、電波強度が強いＳＳＩＤとの接続が優先される場合がある。本実施形態において第１領域は第２領域を包括するため、第２領域の内側においても第１のＳＳＩＤの電波強度は第２のＳＳＩＤの電波強度より強くなる。従って、電波強度による優先度において接続先を決定した場合、第１のＳＳＩＤによる通信が継続されて第２のＳＳＩＤにおける接続がされない。本実施形態において利用者端末は、第１のＳＳＩＤによる無線通信よりも第２のＳＳＩＤによる無線通信を優先させる設定がされるものとする。第２のＳＳＩＤによる無線通信を優先させる設定をすることにより、電波強度に拘わらず、第２領域の内側に入ったときに第２のＳＳＩＤによる無線通信が開始される。
【００２６】
次に、本実施形態における無線通信装置１の機能構成例について説明する。
図２は、本実施形態における無線通信装置１の機能構成例を示すブロック図である。
【００２７】
図２において、無線通信装置１は、第１送信部１１１、第１無線制御部１１２、第２送信部１１３、第２無線制御部１１４、コマンド入力部１１５、コマンド実行部１１６、無線部１１７、第１受信部、第２受信部、処理部１２０、送受信部１２１の各機能を有する。また、無線通信装置１は、サービス提供装置２と通信可能に接続されている。
【００２８】
図２に示す、無線通信装置１の、第１送信部１１１、第１無線制御部１１２、第２送信部１１３、第２無線制御部１１４、コマンド入力部１１５、コマンド実行部１１６、無線部１１７、第１受信部、第２受信部、処理部１２０又は送受信部１２１の各機能は、コンピュータで実行されるプログラム（ソフトウェア）において実現することができる。但し、無線通信装置１の上記機能のいずれか１以上の機能はハードウェアにおいて実現されてもよい。また、図２において無線通信装置１の上記各機能は、それぞれ１つの機能ブロックとして説明するが、複数の機能を１の機能ブロックで実現するようにしてもよい。同様に、無線通信装置１の上記各機能は、複数の機能ブロックで実現するようにしてもよい。
【００２９】
第１送信部１１１は、第１の無線方式において、第１のＳＳＩＤをブロードキャストする。第１無線制御部１１２は、第１の無線方式の制御をする。第２送信部１１３は、第２の無線方式において、第２のＳＳＩＤをブロードキャストする。第２無線制御部１１４は、第２の無線方式の制御をする。
【００３０】
ここで、第１の無線方式及び第２の無線方式における無線方式とは、例えば、IEEE（アイ・トリプル・イー：The Institute of Electrical and Electronics Engineers, Inc）802.11において規格された無線ＬＡＮの方式である。第１の無線方式と第２の無線方式は、異なる無線ＬＡＮの規格であっても、同一の規格であってもよい。
第１送信部１１１と第２送信部とを有することにより、無線通信装置１は、複数のフェンシング領域として例示する第１領域と第２領域を１箇所から形成することが可能となる。本実施形態において１箇所の無線通信装置から複数のフェンシング領域を形成するときの、「１箇所」とは、第１送信部１１１と第２送信部が略同一の箇所に配置される場合をいう。「１箇所」には、例えば、第１送信部１１１と第２送信部が同一の無線通信装置（筐体）内に配置する場合を含む。また、「１箇所」には、第１送信部１１１と第２送信部をそれぞれ別の無線通信装置（筐体）内に配置して、２つの無線通信装置を近接して設置する場合等を含む。従って、例えば２つの無線通信装置を１箇所に集めて第１送信部１１１と第２送信部を構成した場合は本実施形態に含まれる。
【００３１】
第１無線制御部１１２は、第１送信部１１１に対して、無線方式、送信するＳＳＩＤ、及び送信出力を伝達する。第１無線制御部１１２は、第１送信部１１１に対して、第１の無線方式において、第１のＳＳＩＤを、予め設定された第１の送信出力で送信するように制御する。同様に、第２無線制御部１１４は、第２送信部１１３に対して、無線方式、送信するＳＳＩＤ、及び送信出力を伝達する。第２無線制御部１１４は、第２送信部１１３に対して、第２の無線方式において、第２のＳＳＩＤを、予め設定された第２の送信出力で送信するように制御する。
【００３２】
コマンド入力部１１５は、第１の無線方式、第１のＳＳＩＤ、第１の送信出力、第２の無線方式、第２のＳＳＩＤ及び第２の送信出力を設定するコマンドを入力可能にする。コマンド入力部１１５は、例えば、タッチパネルを有する入力デバイスであってもよい。コマンド入力部１１５は、入力されたコマンドをコマンド実行部１１６に出力する。
【００３３】
コマンド実行部１１６は、コマンド入力部１１５から入力されたコマンドを取得する。コマンド実行部１１６は、コマンド入力部１１５から入力されたコマンドにおいて設定される第１の無線方式、第１のＳＳＩＤ、第１の送信出力、第２の無線方式、第２のＳＳＩＤ及び第２の送信出力の設定を無線部１１７に対して出力する。また、コマンド実行部１１６は、送受信部１２１から取得した利用者端末から送信された情報を無線部１１７に対して出力する。また、コマンド実行部１１６は、無線部１１７から取得した第１送信部１１１から出力する情報を第１無線制御部１１２に出力する。また、コマンド実行部１１６は、無線部１１７から取得した第２送信部１１３から出力する情報を第２無線制御部１１４に出力する。
【００３４】
無線部１１７は、コマンド入力部１１５から入力されたコマンドにおいて設定される第１の無線方式、第１のＳＳＩＤ、第１の送信出力、第２の無線方式、第２のＳＳＩＤ及び第２の送信出力の設定を無線部１１７の設定をコマンド実行部１１６から取得する。無線部１１７は、取得した第１の無線方式、第１のＳＳＩＤ、第１の送信出力、第２の無線方式、第２のＳＳＩＤ及び第２の送信出力の設定を無線部１１７の記憶部に記憶する。無線部１１７の記憶部には、例えば、フラッシュメモリー等の記憶媒体を用いることができる。なお、本実施形態においては、第１の無線方式、第１のＳＳＩＤ、第１の送信出力、第２の無線方式、第２のＳＳＩＤ及び第２の送信出力の設定を無線部１１７において記憶する場合を説明するが、第１の無線方式、第１のＳＳＩＤ、第１の送信出力、第２の無線方式、第２のＳＳＩＤ及び第２の送信出力の設定の記憶は、例えばコマンド実行部１１６等他の構成において行うようにしてもよい。
【００３５】
無線部１１７は、第１の無線方式に基づく無線通信及び第２の無線方式に基づく無線通信に係る機能全般を制御する。無線部１１７は、送受信部１２１から取得した利用者端末から送信された情報をコマンド実行部から取得する。無線部１１７は、第１の無線方式に基づき、取得した利用者端末から送信された情報に応じて、第１無線制御部１１２に対して、コマンド実行部１１６を介してコマンドを出力する。同様に、無線部１１７は、第２の無線方式に基づき、取得した利用者端末から送信された情報に応じて、第２無線制御部に対して、コマンド実行部１１６を介してコマンドを出力する。例えば、無線部１１７は、利用者端末から送信された認証要求に対して応答信号を送信するためのコマンドをコマンド実行部１１６を介して第１無線制御部１２又は第２無線制御部１１４に出力する。また、無線部１１７は、利用者端末とのデータフレーム送受信を行う際に、データフレームの送受信を制御するコマンドを、コマンド実行部１１６を介して第１無線制御部１２又は第２無線制御部１１４に出力する。
【００３６】
第１受信部１１８は、第１の無線方式において利用者端末から送信された情報を受信する。第１受信部１１８は、受信した利用者端末から送信された情報を処理部１２０に出力する。第２受信部１１９は、第２の無線方式において利用者端末から送信された無線情報を受信する。第２受信部１１９は、受信した利用者端末から送信された情報を処理部１２０に出力する。
【００３７】
処理部１２０は、第１受信部１１８から出力された利用者端末から送信された情報を取得するとともに、第２受信部１１９から出力された利用者端末から送信された情報を取得する。利用者端末から送信された情報には、利用者端末を識別する識別情報が含まれる。利用者端末を識別する識別情報は、例えば、利用者端末の契約者固有ＩＤである。契約者固有ＩＤとは、利用者端末の製造番号、利用者端末の個体を識別する情報、利用者のＩＤ、ネットワーク契約のＩＤ等である。処理部１２０は、取得した識別情報に基づき、利用者端末が第１領域にあるか、及び第２領域にあるかを判断することができる。ここで、利用者端末が第１領域にあるか又は第２領域にあるかの情報を領域情報という。処理部１２０は、取得した識別情報と領域情報を、送受信部１２１を介してサービス提供装置２に出力する。
【００３８】
送受信部１２１は、処理部１２０から取得された利用者端末から送信された情報を、コマンド実行部１１６又はサービス提供装置２に出力する。例えば、送受信部１２１は、利用者端末から取得した情報が認証要求等の無線通信の通信方法に関する情報である場合、取得した情報をコマンド実行部１１６に出力する。一方、送受信部１２１は、利用者端末から取得した情報が上述のような利用者端末の識別情報や領域情報である場合、取得した情報をサービス提供装置２に出力する。また、送受信部１２１は、サービス提供装置２から取得した情報をコマンド実行部１１６に対して出力する。サービス提供装置２から取得する情報は、例えば、利用者端末に対して送信する情報である。
【００３９】
サービス提供装置２は、利用者端末にサービスを提供する装置である。サービス提供装置２は、無線通信装置１と通信可能に接続されている。サービス提供装置２は、例えば、クラウド環境にあるサーバである。サービス提供装置２は、ネットワークで接続された１又は複数のサーバによって構成されてもよい。
【００４０】
サービス提供装置２は、利用者端末の情報に関するデータベースを有する。サービス提供装置２が有するデータベースには、利用者端末の識別情報に紐付いた利用者に関する情報を記憶しておくことができる。利用者に関する情報とは、例えば、利用者端末（利用者端末を保持した利用者）が第１領域又は第２領域に入った日時の履歴、特定のＷｅｂサイトにおける利用者の商品購入履歴等である。
【００４１】
サービス提供装置２は、送受信部１２１を介して、第１領域又は第２領域に入った利用者端末の識別情報を取得する。サービス提供装置２は、取得した識別情報に基づき、利用者端末に送信する情報を送受信部１２１及びコマンド実行部１１６を介して第１無線制御部１１２又は第２無線制御部１１４に出力する。サービス提供装置２は、利用者端末に送信する情報をデータベースに記憶された利用者端末の情報に基づき選択するようにしてもよい。
【００４２】
例えば、利用者端末が、第１領域の外側から第１領域の内側に入った場合、サービス提供装置２は、データベースに記憶された利用者端末の情報に基づき、第１領域にある利用者端末に対して、第１領域に対応したサービスを提供する。第１領域に対応したサービスとは、例えば、第１領域にある利用者端末に対して、第１領域への過去の訪問回数に応じた特典に関する情報を第１無線制御部１１２から無線送信するサービスである。また、サービス提供装置２は、第１無線制御部１１２から第２領域への移動を促す情報を無線送信してもよい。
【００４３】
また、例えば、利用者端末が、第２領域の外側から第２領域の内側に入った場合、サービス提供装置２は、データベースに記憶された利用者端末の情報に基づき、第２領域にある利用者端末に対して、第２領域に対応したサービスを提供する。第２領域に対応したサービスとは、例えば、第２領域にある利用者端末に対して、特定の商品の購入を促す情報を無線送信するサービスである。
【００４４】
サービス提供装置２は、利用者端末が第１領域又は第２領域にあるときに、データベースに記憶された利用者端末の情報に基づき、図示しないデジタルサイネージから所定の表示を出力したりスピーカから所定の音声を出力したりするようにしてもよい。
【００４５】
次に、本実施形態における無線部１１７の機能構成を説明する。
図３は、本実施形態における無線部１１７の機能構成の一例を示す図である。
【００４６】
図３において、無線部１１７は、制御部１１７０、無線方式記憶部１１７１、送信出力記憶部１１７２及び識別設定記憶部１１７３の各機能を有する。
【００４７】
図３に示す、無線部１１７の、制御部１１７０、無線方式記憶部１１７１、送信出力記憶部１１７２及び識別設定記憶部１１７３の各機能は、コンピュータで実行されるプログラム（ソフトウェア）において実現することができる。但し、無線部１１７の上記機能のいずれか１以上の機能はハードウェアにおいて実現されてもよい。また、図３において無線部１１７の上記各機能は、それぞれ１つの機能ブロックとして説明するが、複数の機能を１の機能ブロックで実現するようにしてもよい。同様に、無線部１１７の上記各機能は、複数の機能ブロックで実現するようにしてもよい。
【００４８】
制御部１１７０は、無線部１１７における上述した動作を制御する。すなわち、制御部１１７は、コマンド入力部１１５から入力されたコマンドにおいて設定される第１の無線方式、第１のＳＳＩＤ、第１の送信出力、第２の無線方式、第２のＳＳＩＤ及び第２の送信出力の設定を無線部１１７の設定をコマンド実行部１１６から取得して、第１の無線方式及び第２の無線方式を無線方式記憶部１１７１に記憶し、第１の送信出力及び第２の送信出力を送信出力記憶部１１７２に記憶し、さらに第１のＳＳＩＤ及び第２のＳＳＩＤを識別設定記憶部１１７３に記憶する。また、制御部１１７０は、記憶された第１の無線方式、第１のＳＳＩＤ及び第１の送信出力に基づき、第１の無線通信を制御し、記憶された第２の無線方式、第２のＳＳＩＤ及び第２の送信出力に基づき、第２の無線通信を制御する。
【００４９】
無線方式記憶部１１７１は、コマンド入力部１１５から入力されるコマンドに基づき設定される、第１の無線方式と第２の無線方式を記憶する。第１の無線方式と第２の無線方式は任意の無線方式において設定される。例えば、無線方式記憶部１１７１は、第１の無線方式として、周波数が５ＧＨｚであるIEEE802.11aの通信方式を記憶することができる。また、無線方式記憶部１１７１は、第２の無線方式として、周波数が２．４ＧＨｚであるIEEE802.11gの通信方式を記憶することができる。第１の無線方式と第２の無線方式は、異なる無線方式であっても、同一の無線方式であってもよい。
【００５０】
送信出力記憶部１１７２は、コマンド入力部１１５から入力されるコマンドに基づき設定される、第１送信部１１１から出力される無線電波の第１の送信出力と、第２送信部１１３から出力される無線電波の第２の送信出力を記憶する。第１の送信出力及び第２の送信出力における送信出力は、例えば、０〜１００％の間で設定される。図１で説明した第１領域の大きさ（無線通信装置１からの距離）は、第１の送信出力によって決定することができる。すなわち、第１の送信出力が大きくなると第１のＳＳＩＤを検知できる第１領域（フェンシング領域）が拡大する。同様に、第２領域の大きさは、第２の送信出力によって決定することができる。本実施形態では、第１の送信出力及び第２の送信出力は、第１領域が第２領域を包括するように設定される。
【００５１】
識別設定記憶部１１７３は、コマンド入力部１１５から入力されるコマンドに基づき設定される、第１の無線方式における第１のＳＳＩＤと第２の無線方式における第２のＳＳＩＤを記憶する。ＳＳＩＤは、例えば最大３２文字までの英数で設定される。ＳＳＩＤには、４８ビットの物理アドレスを用いてもよい。第１無線制御部１１２は、無線部１１７からコマンド実行部１１６を介して取得した第１のＳＳＩＤを第１送信部からブロードキャストする。なお、無線部１１７は、利用者端末から識別設定記憶部１１７３に記憶した第１のＳＳＩＤ又は第２のＳＳＩＤに対するプローブ要求を受信した場合、プローブ応答を送信するように第１無線制御部１１２又は第２無線制御部１１４に対してコマンドを送信するようにしてもよい。
【００５２】
なお、無線部１１７には、第１の無線方式及び第２の無線方式における他の設定を記憶するようにしてもよい。例えば、無線部１１７に、第１の無線方式及び第２の無線方式におけるセキュリティの設定を記憶するようにしてもよい。
また、本実施形態では、無線部１１７が、無線方式記憶部１１７１、送信出力記憶部１１７２及び識別設定記憶部１１７３を有する場合を説明したが、無線方式記憶部、送信出力記憶部又は識別設定記憶部のいずれか１以上の構成は、コマンド実行部１１６等の他の構成が有するようにしてもよい。
【００５３】
次に、本実施形態における無線通信装置１の動作を説明する。
図４は、本実施形態における無線通信装置１の動作の一例を示すフローチャートである。
【００５４】
図４において、無線通信装置１は、利用者端末から第１のＳＳＩＤに対応した応答を受信したか否かを判断する（ステップＳ１１）。第１送信部１１１は、第１領域の範囲に対して第１のＳＳＩＤを送信し、第１受信部１１８は、第１のＳＳＩＤに対応した応答を受信する。第１のＳＳＩＤに対応した応答を受信したか否かを判断は、例えば、処理部１２０において実行することができる。利用者端末から第１のＳＳＩＤに対応した応答を受信していないと判断した場合（ステップＳ１１：ＮＯ）、無線通信装置１は、図４に示すフローチャートの処理を終了する。
【００５５】
一方、利用者端末から第１のＳＳＩＤに対応した応答を受信したと判断した場合（ステップＳ１１：ＹＥＳ）、無線通信装置１は、利用者端末から第２のＳＳＩＤに対応した応答を受信したか否かを判断する（ステップＳ１２）。第２送信部１１３は、第２領域の範囲に対して第２のＳＳＩＤを送信し、第２受信部１１９は、第２のＳＳＩＤに対応した応答を受信する。第２のＳＳＩＤに対応した応答を受信したか否かを判断は、例えば、処理部１２０において実行することができる。
【００５６】
利用者端末から第２のＳＳＩＤに対応した応答を受信しないと判断した場合（ステップＳ１２：ＮＯ）、無線通信装置１は、利用者端末に対して第１領域に対応したサービスを提供する（ステップＳ１４）。ステップＳ１２において利用者端末から第２のＳＳＩＤに対応した応答を受信しない場合とは、利用者端末が第１領域の内側であって第２領域の外側にあることを示す。無線通信装置１は、利用者端末から取得した識別情報をサービス提供装置２に送信し、識別情報に基づき選択された第１領域に対応したサービスをサービス提供装置２から取得して利用者端末に送信することできる。
【００５７】
一方、利用者端末から第２のＳＳＩＤに対応した応答を受信したと判断した場合（ステップＳ１２：ＹＥＳ）、無線通信装置１は、利用者端末に対して第２領域に対応したサービスを提供する（ステップＳ１３）。ステップＳ１２において利用者端末から第２のＳＳＩＤに対応した応答を受信した場合とは、利用者端末が第１領域に包括される第２領域の内側にあることを示す。無線通信装置１は、利用者端末から取得した識別情報をサービス提供装置２に送信し、識別情報に基づき選択された第２領域に対応したサービスをサービス提供装置２から取得して利用者端末に送信することできる。
【００５８】
無線通信装置１は、ステップＳ１３の処理を実行した後、又はステップＳ１４の処理を実行した後、図４に示すフローチャートの処理を終了する。
【００５９】
なお、無線通信装置１は、利用者端末の移動方向を検出することができる。例えば、利用者端末が第２領域の外側であって第１領域の内側にある場合、利用者端末が第１領域の外側から移動したのか、第２領域に内側から移動したのかの移動の方向を検出することができる。無線通信装置１は、検出した利用者端末の移動方向に応じて、提供するサービスを異なるものとしてもよい。例えば、利用者端末が第１領域の外側から移動した場合、無線通信装置１は、利用者端末に対して、「いらっしゃいませ」等のメッセージを送信する等の第２領域への移動を促すサービスを提供してもよい。一方、利用者端末が第２領域の内側から移動した場合、無線通信装置１は、利用者端末に対して、「またのお越しをお待ちしております」等のメッセージを送信して第２領域への再訪を促すサービスを提供してもよい。無線通信装置１は、利用者端末の移動方向に応じたサービスを提供することができる。
【００６０】
以上説明したように、本実施形態の無線通信装置は、第１送信部と、第２送信部と、第１受信部と、第２受信部とを有することにより、複数のフェンシング領域を１箇所の無線通信装置から形成する、無線通信装置を提供することができる。
【００６１】
なお、本実施形態において、無線通信装置１は、第１の識別情報を無線で送信して、第１の識別情報を利用者端末によって検知可能な第１の領域を形成する第１送信部と、第２の識別情報を無線で送信して、第２の識別情報を利用者端末によって検知可能な、第１の領域に包括される第２の領域を形成する第２送信部とを備える場合を説明したが、第１送信部と第２送信部とは、別々の装置で構成されるようにしてもよい。すなわち、本実施形態における、無線通信装置は、第１送信部を有する第１の無線通信装置と第２送信部を有する第２の無線通信装置を備えた無線通信システムにおいて実現されてもよい。無線通信装置が第１の無線通信装置と第２の無線通信装置を備える場合、図２を用いて説明した、コマンド入力部１１５、コマンド実行部１１６、無線部１１７、処理部１２０又は送受信部１２１等の機能は、第１の無線通信装置と第２の無線通信装置のいずれか一方に備わるようにすることができる。
【００６２】
また、本実施形態においては、無線通信装置１は、第１領域と第２領域の２つのフェンシング領域を形成する場合を説明したが、無線通信装置１は、３つ以上のフェンシング領域を形成するものであってもよい。例えば、無線通信装置１は、第２領域に包括された第３領域を形成し、第３領域において利用者端末に所定のサービスを提供するようにしてもよい。無線通信装置１は、形成するフェンシング領域の数に応じて、送信部、無線制御部及び受信部を備えることにより、任意の数のフェンシング領域を形成することができる。
【００６３】
また、無線通信装置１は、形成するフェンシング領域を、曜日、時間等の所定の条件において変更するようにしてもよい。例えば、無線通信装置１は、平日においては第１領域と第２領域を形成し、休日等においては第１領域と上記第３領域を形成するようにしてもよい。
【００６４】
また、本実施形態において第１送信部は、第１の領域を第１の識別情報の送信位置を中心に形成し、第２送信部は、第２の領域を、第１の識別情報の送信位置と略同一の位置を中心に形成する場合を説明したが、第１領域が第２領域を包括するものであれば、第１の識別情報の送信位置と第２の識別情報の送信位置は略同一でなくてもよい。例えば、第１の領域又は第２の領域の大きさに対して、第１の識別情報の送信位置と第２の識別情報の送信位置の距離が十分小さい場合、第１領域が第２領域を包括するようにすることができる。
【００６５】
また、本実施形態において、識別設定記憶部１１７３は、第１の識別情報の設定と第２の識別情報の設定とを記憶する場合を説明したが、第１の識別情報の設定と第２の識別情報の設定とを別の記憶部にそれぞれ記憶するようにしてもよい。同様に、送信出力記憶部１１７２は、第１の識別情報の送信出力の設定と、第２の識別情報の送信出力の設定とを記憶する場合を説明したが、第１の識別情報の送信出力の設定と第２の識別情報の送信出力の設定とを別の記憶部にそれぞれ記憶するようにしてもよい。
【００６６】
また、本発明の一態様は、上記の無線通信方法であって、第１送信ステップにおいて、第１の領域を、第１の識別情報の送信位置を中心に形成し、第２送信ステップにおいて、第２の領域を、第１の識別情報の送信位置と略同一の位置を中心に形成する。
【００６７】
また、本発明の一態様は、上記の無線通信方法であって、第１の識別情報の設定と、第２の識別情報の設定とを記憶する識別設定記憶ステップをさらに含み、第１送信ステップにおいて、記憶された第１の識別情報の設定に基づき第１の識別情報を送信し、第２送信ステップにおいて、記憶された第２の識別情報の設定に基づき第２の識別情報を送信する。
【００６８】
また、本発明の一態様は、上記の無線通信方法であって、第１の識別情報の送信出力の設定と、第２の識別情報の送信出力の設定とを記憶する送信出力記憶ステップをさらに含み、第１送信ステップにおいて、記憶された第１の識別情報の送信出力の設定に基づき第１の識別情報を送信し、第２送信ステップにおいて、記憶された第２の識別情報の送信出力の設定に基づき第２の識別情報を送信する。
【００６９】
また、本発明の一態様は、上記の無線通信方法であって、第１送信ステップにおいて、第１の領域を、第１の識別情報の送信位置を中心に形成し、第２送信ステップにおいて、第２の領域を、第１の識別情報の送信位置と略同一の位置を中心に形成する。
【００７０】
また、本発明の一態様は、上記の無線通信方法であって、第１の識別情報の設定と、第２の識別情報の設定とを記憶する識別設定記憶ステップをさらに含み、第１送信ステップにおいて、記憶された第１の識別情報の設定に基づき第１の識別情報を送信し、第２送信ステップにおいて、記憶された第２の識別情報の設定に基づき第２の識別情報を送信する。
【００７１】
また、本発明の一態様は、上記の無線通信方法であって、第１の識別情報の送信出力の設定と、第２の識別情報の送信出力の設定とを記憶する送信出力記憶ステップをさらに含み、第１送信ステップにおいて、記憶された第１の識別情報の送信出力の設定に基づき第１の識別情報を送信し、第２送信ステップにおいて、記憶された第２の識別情報の送信出力の設定に基づき第２の識別情報を送信する。
【００７２】
また、本発明の一態様は、上記の無線通信プログラムであって、第１の識別情報の送信出力の設定と、第２の識別情報の送信出力の設定とを記憶する送信出力記憶処理をさらにコンピュータに実行させて、第１送信処理において、記憶された第１の識別情報の送信出力の設定に基づき第１の識別情報を送信し、第２送信処理において、記憶された第２の識別情報の送信出力の設定に基づき第２の識別情報を送信する。
【００７３】
また、本発明の一態様は、上記の無線通信プログラムであって、第１送信処理において、第１の領域を、第１の識別情報の送信位置を中心に形成し、第２送信処理において、第２の領域を、第１の識別情報の送信位置と略同一の位置を中心に形成する。
【００７４】
また、本発明の一態様は、上記の無線通信プログラムであって、第１の識別情報の設定と、第２の識別情報の設定とを記憶する識別設定記憶処理をさらにコンピュータに実行させて、第１送信処理において、記憶された第１の識別情報の設定に基づき第１の識別情報を送信し、第２送信処理において、記憶された第２の識別情報の設定に基づき第２の識別情報を送信する。
【００７５】
また、本発明の一態様は、上記の無線通信プログラムであって、第１の識別情報の送信出力の設定と、第２の識別情報の送信出力の設定とを記憶する送信出力記憶処理をさらにコンピュータに実行させて、第１送信処理において、記憶された第１の識別情報の送信出力の設定に基づき第１の識別情報を送信し、第２送信処理において、記憶された第２の識別情報の送信出力の設定に基づき第２の識別情報を送信する。
【００７６】
上述した実施形態における無線通信装置１の各機能は、コンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７７】
以上、この発明の実施形態について図面を参照して詳述してきたが、具体的な構成はこの実施形態に限られるものではなく、この発明の要旨を逸脱しない範囲の設計等も含まれる。
【符号の説明】
【００７８】
１…無線通信装置，２…サービス提供装置，１１１…第１送信部，１１２…第１無線制御部、１１３…第２送信部、１１４…第２無線制御部，１１５…コマンド入力部，１１６…コマンド実行部、１１７…無線部，１１７１…無線方式記憶部、１１７２…送信出力記憶部、１１７３…識別設定記憶部、１１８…第１受信部，１１９…第２受信部、１２０…処理部，１２１…送受信部
【図１】
2017135473.tif 000003
【図２】
2017135473.tif 000004
【図３】
2017135473.tif 000005
【図４】
2017135473.tif 000006
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
第１の識別情報を無線で送信して、前記第１の識別情報を利用者端末によって検知可能な第１の領域を形成する第１送信部と、
第２の識別情報を無線で送信して、前記第２の識別情報を利用者端末によって検知可能な、前記第１の領域に包括される第２の領域を形成する第２送信部と、
送信された前記第１の識別情報に対する応答を前記利用者端末から無線で受信する第１受信部と、
送信された前記第２の識別情報に対する応答を前記利用者端末から無線で受信する第２受信部と
を備え、
前記第１送信部は、
前記第１の識別情報に対する応答を受信開始したときには、前記第１の領域外から前記第１の領域内への移動に対応したサービスを提供し、
さらに、前記第１の識別情報に対する応答を受信し、かつ前記第２の識別情報に対する応答を受信しなくなったときには、前記第２の領域から前記第２の領域外への移動に対応したサービスを提供し、
前記第２送信部は、
前記第２の識別情報に対する応答を受信したときは、前記第２の領域に対応したサービスを提供する、無線通信装置。
【請求項２】
前記第１送信部は、前記第１の領域を、前記第１の識別情報の送信位置を中心に形成し、
前記第２送信部は、前記第２の領域を、前記第１の識別情報の送信位置と略同一の位置を中心に形成する、請求項１に記載の無線通信装置。
【請求項３】
前記第１の識別情報の設定と、前記第２の識別情報の設定とを記憶する識別設定記憶部をさらに備え、
前記第１送信部は、記憶された前記第１の識別情報の設定に基づき前記第１の識別情報を送信し、
前記第２送信部は、記憶された前記第２の識別情報の設定に基づき前記第２の識別情報を送信する、請求項１又は２に記載の無線通信装置。
【請求項４】
前記第１の識別情報の送信出力の設定と、前記第２の識別情報の送信出力の設定とを記憶する送信出力記憶部をさらに備え、
前記第１送信部は、記憶された前記第１の識別情報の送信出力の設定に基づき前記第１の識別情報を送信し、
前記第２送信部は、記憶された前記第２の識別情報の送信出力の設定に基づき前記第２の識別情報を送信する、請求項１から３のいずれか一項に記載の無線通信装置。
【請求項５】
第１の識別情報を無線で送信して、前記第１の識別情報を利用者端末によって検知可能な第１の領域を形成する第１送信ステップと、
第２の識別情報を無線で送信して、前記第２の識別情報を利用者端末によって検知可能な、前記第１の領域に包括される第２の領域を形成する第２送信ステップと、
送信された前記第１の識別情報に対する応答を前記利用者端末から無線で受信する第１受信ステップと、
送信された前記第２の識別情報に対する応答を前記利用者端末から無線で受信する第２受信ステップと
を含み、
前記第１送信ステップにおいて、
前記第１の識別情報に対する応答を受信開始したときには、前記第１の領域外から前記第１の領域内への移動に対応したサービスを提供し、
さらに、前記第１の識別情報に対する応答を受信し、かつ前記第２の識別情報に対する応答を受信しなくなったときには、前記第２の領域から前記第２の領域外への移動に対応したサービスを提供し、
前記第２送信ステップにおいて、
前記第２の識別情報に対する応答を受信したときは、前記第２の領域に対応したサービスを提供する、無線通信方法。
【請求項６】
第１の識別情報を無線で送信して、前記第１の識別情報を利用者端末によって検知可能な第１の領域を形成する第１送信処理と、
第２の識別情報を無線で送信して、前記第２の識別情報を利用者端末によって検知可能な、前記第１の領域に包括される第２の領域を形成する第２送信処理と、
送信された前記第１の識別情報に対する応答を前記利用者端末から無線で受信する第１受信処理と、
送信された前記第２の識別情報に対する応答を前記利用者端末から無線で受信する第２受信処理と
をコンピュータに実行させ、
前記第１送信処理において、
前記第１の識別情報に対する応答を受信開始したときには、前記第１の領域外から前記第１の領域内への移動に対応したサービスを提供し、
さらに、前記第１の識別情報に対する応答を受信し、かつ前記第２の識別情報に対する応答を受信しなくなったときには、前記第２の領域から前記第２の領域外への移動に対応したサービスを提供し、
前記第２送信処理において、
前記第２の識別情報に対する応答を受信したときは、前記第２の領域に対応したサービスを提供する、
処理をコンピュータに実行させるための、無線通信プログラム。